(57)【要約】【課題】透水性歩道及び非透水性歩道のいずれにあっても、雨水や融雪水は車道側に排水するので、歩道上に水溜ができて靴や衣服を汚したり、自転車の跳ね水で他人に迷惑を与えるといった事態を解消する。【解決手段】排水性縁石ブロック１は、コンクリート製の縁石基部２と、コンクリート製の縁石上部４と、該縁石上部４と縁石基部２との間に挟装する排水性縁部５とから一体に成形してある。排水性縁部５は全体に無数の連続細孔を形成したものからなっており、下面５Ａは歩道側５１の内側面５Ｂから外側面５Ｃに向けて傾斜面になっている。そして、排水性縁部５の縦幅Ｓは、透水性歩道５１の透水層部５３に対応させてある。【選択図】　図２
0003097785.tif 000002
【実用新案登録請求の範囲】
【請求項１】
コンクリート製の縁石基部と、コンクリート製の縁石上部と、透水性歩道の透水層部に対応する縦幅からなり、該縁石上部と縁石基部の間に挟装する排水性縁石部を一体に成形してなる排水性縁石ブロック。
【請求項２】
コンクリート製の縁石基部と、コンクリート製の縁石上部と、該縁石上部と縁石基部の間に挟装する排水性縁石部とからなり、該排水性縁石部は下面が非透水性歩道の上面と略同じ高さに位置するように成形してあることを特徴とする排水性縁石ブロック。
【請求項３】
前記排水性縁石部は、少なくとも下面を歩道側の内側から車道側の他側にかけて下り傾斜面にしてあることを特徴とする請求項１又は２記載の排水性縁石ブロック。
【考案の詳細な説明】
【０００１】
【考案の属する技術分野】
本考案は、車道と歩道の境界に設置する縁石ブロックに関し、特に歩道に溜る雨水等を車道側に排水することにより歩行者等が衣服等を汚すことなく快適に通行することができるようにした排水性縁石ブロックに関する。
【０００２】
【従来の技術】
従来の縁石ブロックは長方形の立方体からなり、その全体をコンクリートで成型してある。そして、縁石ブロックは歩道と車道の境界に沿って列設し、その上部側は歩道の路面から突出させて設置することにより、歩行者に歩道の境界を明確に認識させると共に、歩行者が誤って車道側に出たり逆に車両が歩道に乗り上げる事態を防止するようにしている。
【０００３】
【考案が解決しようとする課題】
縁石ブロックは上述の如く歩道と車道とを遮断する状態で設置してあることから、歩道に降った雨水等は逃げ場がないために歩道上で水溜になってしまい、歩行者が靴を濡らしたり、衣服を汚してしまう、或は自転車の跳ね水になるという問題があった。他方、近年国の指針として、歩道のバリアフリー化を図るために路面の勾配を１％以下に抑えて歩行性を向上させると共に、透水性敷石ブロックを歩道に敷設する等の対策により、歩道に透水性を持たせて路面に水溜が出来ないようにすることも行われている。
【０００４】
しかし、透水性歩道の透水層部の下側は遮水層部に形成して強度性を持たせてあるため、降水量が多い場合には透水層部による水の収容量にも限界があるし、水を排水溝に流出させることができなければ、結局水溜が出来てしまうという欠点がある。
【０００５】
本考案は上述した従来技術の諸欠点に鑑みなされたもので、歩道に溜る雨水を車道側に排水することにより、歩道に水溜まりができないようにして歩行者が快適に通行することができるようにした排水性縁石ブロックを提供することを目的とする。
【０００６】
【課題を解決するための手段】
上述した課題を解決するために構成された請求項１に係る本考案の手段は、コンクリート製の縁石基部と、コンクリート製の縁石上部と、透水性歩道の透水層部に対応する縦幅からなり、該縁石上部と縁石基部の間に挟装する排水性縁石部を一体に成形したものからなる。
【０００７】
また、請求項２に係る本考案の手段は、コンクリート製の縁石基部と、コンクリート製の縁石上部と、該縁石上部と縁石基部の間に挟装する排水性縁石部とからなり、該排水性縁石部は下面が非透水性歩道の上面と略同じ高さに位置するように成形したものにからなる。このように構成することにより、非透水性歩道上の雨水や融雪水であっても溜水させることなく車道側に円滑に排水することができる。
【０００８】
そして、前記請求項１及び２に係る発明の前記排水性縁石部は、少なくとも下面を歩道側の内側から車道側の他側にかけて下り傾斜面にするとよい。このように構成することにより、透水性歩道の透水層部に浸透する雨水や融雪水を速やかに車道側に排出することができる。
【０００９】
【考案の実施の形態】
以下、本考案の実施の形態を図面に基づき詳述する。図１乃至図３は第１の実施の形態を示す。先ず、排水性縁石ブロック１を設置する透水性歩道５１の構造を図２に基づいて説明すると、歩道５１は切込砂利を約２４ｃｍの厚さに敷き詰めた最下層の路盤５２Ａ及び路盤５２Ａ上に３ｃｍの厚さに形成した密粒度アスコン５２Ｂからなる遮水層部５２と、密粒度アスコン５２Ｂ上に３ｃｍの厚さに形成した排水性舗装からなる表層５３Ａ、該表層５３Ａの上に３ｃｍの厚さに敷き詰めた砂層５３Ｂ及び該砂層５３Ｂの上に敷設した厚さ６ｃｍの透水性敷石ブロック５３Ｃからなる透水層部５３とから構成してある。そして、排水性縁石ブロック１を介して他側は車道５４になっている。
【００１０】
２は該排水性縁石ブロック１を構成するコンクリート製の縁石基部で、該縁石基部２は長方形の下面２Ａと、内側面２Ｂ及び外側面２Ｃと、長手方向の両端面２Ｄ、２Ｄと、長方形の上面２Ｅとからなる長方形の立方体に形成してあり、下面２Ａに逆Ｕ字状の凹状係止部３が長手方向に形成してある。
【００１１】
４は排水性縁石ブロック１を構成するコンクリート製の縁石上部で、該縁石上部４は長方形の下面４Ａと、内側面４Ｂ及び外側面４Ｃと、長手方向の両端面４Ｄ、４Ｄと、長方形の上面４Ｅとからなる長方形の立方体に形成してある。
【００１２】
５は前記縁石上部４と縁石基部２との間に一体に成形した排水性縁石部である。該排水性縁石部５は長方形の下面５Ａと、内側面５Ｂ及び外側面５Ｃと、長手方向の両端面５Ｄ、５Ｄと、長方形の上面５Ｅとからなる長方形の立方体に形成してあり、その縦幅Ｓは透水性歩道５１の表層５３Ａから敷石ブロック５３Ｃの透水層部５３の縦幅に対応するように設定してある。そして、上述の構成からなる排水性縁石部５は骨材、セメント、減水剤、増粘剤のそれぞれを適量混合したものを雌型で成型することにより成形してあり、全体に無数の連通細孔が形成されて透水係数が約０，８±０，１になるようにしてある。
【００１３】
次に、本実施の形態に係る排水性縁石ブロック１の製法について説明する。先ず、雌型内に骨材、セメント、水を混合したコンクリートを雌型の容積の略３分の１流し込み、プレス機で加圧した後、加振機で雌型に振動を加えて、縁石上部４を成形する。次に、雌型内の縁石上部４の上に排水性縁石部５を一体に成形する。即ち、骨材、セメント、減水剤、増粘剤のそれぞれを適量混合したものを、雌型内に容積の略３分の１流し込み、プレス機で加圧した後、加振機で雌型に振動を加える。これにより、雌型内に排水性縁石部５が縁石上部４と一体に成形される。更に、骨材、セメント、水を混合したコンクリートを雌型の容積の略３分の１流し込み、プレス機で加圧した後、加振機で雌型に振動を加えることにより、排水性縁石部５と一体に縁石上部２が成形される。最後に、雌型内から縁石ブロックを脱型して養生することにより、排水性縁石ブロック１を製造することができる。
【００１４】
上述の構成からなる排水性縁石ブロック１は透水性歩道５１と車道５４の境界に設置する点では従来の縁石ブロックと同じであるが、排水性縁石部５の下面５Ａの位置を透水性歩道５１の表層５３Ａと略同じ高さになるように設置する。これにより、排水性縁石部５は表層５３Ａから透水性敷石ブロック５３Ｃまでの透水層部５３に対応しているから、透水性敷石ブロック５３Ｃから浸透する雨水や融雪水等は砂層５３Ｂ、表層５３Ａを介して排水性縁石部５側に流れ、連通細孔を介して車道側に流出する。従って、大量の雨が降った場合でも路面に水が溜ることがないし、春先の融雪水により水溜ができることがない。
【００１５】
図３は実施の形態の変形例に係る排水性縁石ブロックを示す。図において、１１は排水性縁石ブロック、１２は該排水性縁石ブロック１１を構成するコンクリート製の縁石基部で、該縁石基部１２は長方形の下面１２Ａと、内側面１２Ｂ及び外側面１２Ｃと、長手方向の両端面１２Ｄ、１２Ｄ（但し図示せず。）と、長方形の上面１２Ｅとから長方形の立方体に形成し、下面１２Ａに逆Ｕ字状の凹状係止部１３を長手方向に形成したものからなっている。そして、縁石基部１２は第１の実施の形態における縁石基部２と基本的形態は同じであるが、上面１２Ｅは透水性歩道５１側に位置する内側面１２Ｂから車道５４側に位置する外側面１２Ｃにかけて下り傾斜面になっている。
【００１６】
１４は排水性縁石ブロック１１を構成するコンクリート製の縁石上部を示す。該縁石上部１４は長方形の下面１４Ａと、内側面１４Ｂ及び外側面１４Ｃと、長手方向の両端面１４Ｄ、１４Ｄ（但し、図示せず。）と、長方形の上面１４Ｅとから長方形の立方体に成形したものからなり、第１の実施の形態における縁石上部４と基本的形態は同じであるが、下面１４Ａは内側面１４Ｂから外側面１４Ｃに向けて縁石基部１２の上面１２Ｅと同じ傾斜角の下り傾斜面になっている。
【００１７】
１５は前記縁石上部１４と縁石基部１２との間に一体に成形した排水性縁石部である。該排水性縁石部１５は長方形の下面１５Ａと、内側面１５Ｂ及び外側面１５Ｃと、長手方向の両端面１５Ｄ、１５Ｄ（但し、図示せず。）と、長方形の上面１５Ｅとからなる長方形の立方体に形成してあるが、下面１５Ａと上面１５Ｅは内側面１５Ｂ及び外側面１５Ｃに向けて下り傾斜面になっている。そして、上述の構成からなる排水性縁石部１５は、第１の実施の形態の排水性縁石部５と同じ素材で成型してあり、全体に無数の連通細孔が形成されている。
【００１８】
本実施の形態に係る排水性縁石ブロック１１は上述の構成からなり、透水性歩道５１と車道５４の境界に設置し、排水性縁石部１５を透水性歩道５１の表層５３Ａから透水性敷石ブロックＡ５３Ｃまでの透水層部５３に対応させる点では第１の実施の形態の排水性縁石ブロック１と同じである。しかし、排水性縁石部１５は全体が透水性歩道５１側から車道５４側に下り傾斜体に形成してあるから、透水性歩道５１側から浸透してくる雨水や融雪水を車道５４側に速やかに流出させることができる。
【００１９】
図４は第２の実施の形態に係る排水性縁石ブロック２１を示す。図において、２２は該排水性縁石ブロック２１を構成するコンクリート製の縁石基部で、該縁石基部２２は長方形の下面２２Ａと、内側面２２Ｂ及び外側面２２Ｃと、長手方向の両端面２２Ｄ、２２Ｄ（但し図示せず。）と、長方形の上面２２Ｅとから長方形の立方体に形成し、下面２２Ａに逆Ｕ字状の凹状係止部２３を長手方向に形成したものからなる。そして、縁石基部２２は第１の実施の形態における縁石基部２と異なって、上面２２Ｅは非透水性歩道５５の路面５５Ａの近傍に位置するように高く形成してあり、かつ非透水性歩道５５側に位置する内側面２２Ｂから車道５４側に位置する外側面２２Ｃに向けて下り傾斜面にしてある。
【００２０】
２４は排水性縁石ブロック２１を構成するコンクリート製の縁石上部を示す。該縁石上部２４は長方形の下面２４Ａと、内側面２４Ｂ及び外側面２４Ｃと、長手方向の両端面２４Ｄ、２４Ｄ（但し、図示せず。）と、長方形の上面２４Ｅとから長方形の立方体に成形したものからなり、第１の実施の形態における縁石上部４と基本的形態は同じであるが、縦幅を薄く設定してある。
【００２１】
２５は前記縁石上部２４と縁石基部２２との間に一体に成形した排水性縁石部である。該排水性縁石部２５は長方形の下面２５Ａと、内側面２５Ｂ及び外側面２５Ｃと、長手方向の両端面２５Ｄ、２５Ｄ（但し、図示せず。）と、長方形の上面２５Ｅとからなる長方形の立方体に形成したものからなり、下面２５Ａは内側面２５Ｂから外側面２５Ｃに向けて下り傾斜面に、上面２５Ｅは水平面になっている。そして、上述の構成からなる排水性縁石部２５は、第１の実施の形態の排水性縁石部５と同じ素材で成形してあり、全体に無数の連通細孔が形成されている。
【００２２】
本実施の形態に係る排水性縁石ブロック２１は、排水性縁石部２５を非透水性歩道５５の路面５５Ａと略同じ高さに位置させて成形したことを特徴としている。従って、この排水性縁石ブロック２１は非透水性歩道５５と車道５４の境界に設置することにより、非透水性歩道５５上に溜る雨水や融雪水を車道５４側に流出させることができる。
【００２３】
なお、各実施の形態おいて、排水性縁石ブロック１、１１、２１は透水性歩道、或は透水性歩道の路面に対して上部側を突出させた状態に設置したが、排水性縁石部５、１５、２５を介して雨水、融雪水を排出できる構成であれば、排水性縁石ブロック１、１１、２１の上面４Ａ、１３Ａ、２４Ａと歩道の路面を略同じ高さにしてもよい。
【００２４】
【考案の効果】
本考案は以上詳述した如く構成したから、下記の諸効果を奏する。
（１）コンクリート製の縁石基部とコンクリート製の縁石上部との間に、透水性歩道の透水層部に対応する縦幅からなる排水性縁石部を一体に成形することにより、透水性歩道上の多量の雨水や融雪水は車道側に排水するようにしたから、歩道に水溜まりができることがなく、歩行者が快適に歩行することができる。
（２）コンクリート製の縁石基部とコンクリート製の縁石上部との間に挟装する排水性縁石部の下面を非透水性歩道の上面と略同じ高さに位置するように成形したから、非透水性歩道であっても多量の雨水や融雪水を車道側に円滑に排水することができるので歩道上に水溜まりができる事態を解消することができる。
（３）排水性縁石部の少なくとも下面を透水性歩道側の内側面から車道側の他側面に向けて下り傾斜面にしたから、透水性歩道の透水層部に浸透する雨水や融雪水を速やかに車道側に排出することができる。
（４）縁石ブロックの上側全体を排水性縁石部に形成せずに、コンクリート製の縁石上部を上側に配設して縁石基部との間で挟持する構成にしたから、排水機能を有しながら強度性を有している。
【図面の簡単な説明】
【図１】図１乃至図３は本考案の第１の実施の形態に係り、図１は排水性縁石ブロックの外観斜視図である。
【図２】透水性道路の境界に設置した排水性縁石ブロックの縦断面図である。
【図３】図３は変形例に係り、透水性道路の境界に設置した排水性縁石ブロックの縦断面図である。
【図４】図４は第２の実施の形態に係り、非透水性道路の境界に設置した排水性縁石ブロックの縦断面図である。
【符号の説明】
１、１１、２１　　　排水性縁石ブロック
２、１２、２２　　　縁石基部
４、１４、２４　　　縁石上部
５、１５、２５　　　排水性縁石部
５Ａ、１５Ａ、２５Ａ　　下面
５１　　　　　透水性歩道
５３　　　　　透水層部
５４　　　　　車道
５５　　　　　非透水性歩道
Ｓ　　　　　　縦幅
【図１】
0003097785.tif 000003
【図２】
0003097785.tif 000004
【図３】
0003097785.tif 000005
【図４】
0003097785.tif 000006